(57)【要約】【課題】調理中、調理予約中の時間ずれが無く、調理シーケンスを正確に行うことができる調理器を提供する。【解決手段】食物を加熱するヒータ３と、時刻データを受信する電波受信装置１２と、現在時刻を計時する時計部８ａと、前記ヒータ３の制御を行うと共に前記時刻データに基づき前記時計部８ａの現在時刻を設定する制御装置８とを備え、前記食物の調理中及び、調理予約中は、前記時刻データに基づく前記時計部８ａの現在時刻の設定を行わないようにしたもので、調理中の時刻データの受信による調理終了時間のずれを防ぐことができるので、調理プロセスを正確に動作させることができると共に、時刻データの受信のための処理が調理中に行われないので、制御装置８の処理が複雑になることなく調理制御をすることができる。【選択図】図１
2005329112.tif 000002
【特許請求の範囲】
【請求項１】
食物を加熱する加熱手段と、時刻データを受信する電波受信装置と、現在時刻を計時する
時計部と、前記加熱手段の制御を行うと共に前記時刻データに基づき前記時計部の現在時刻を設定する制御装置とを備え、前記食物の調理中及び、調理予約中は、前記時刻データに基づく前記時計部の現在時刻の設定を行わないことを特徴とする調理器。
【請求項２】
少なくとも制御装置に通電された時に、時刻データに基づき時計部の現在時刻を設定するようにした請求項１記載の調理器。
【請求項３】
メニューコースの選択や調理開始時刻などを入力する入力装置を設け、前記入力装置の操作中及び／又は前記操作終了後所定時間の間は、時刻データに基づく時計部の現在時刻の設定を行わないようにした請求項１又は２に記載の調理器。
【請求項４】
電波受信装置による時刻データの受信中に入力装置の操作を行った場合には、前記電波受信装置による前記時刻データの受信を停止し、受信前の現在時刻を優先させるようにした請求項３記載の調理器。
【請求項５】
電波受信装置により時刻データが受信できない時には、現在時刻を入力する時刻入力モードに移行するようにした請求項１〜４のいずれか１項に記載の調理器。
【請求項６】
電池を搭載して、前記電池の電源のみで制御装置が駆動している間は、時刻データに基づく時計部の現在時刻の設定を行わないようにした請求項１〜５のいずれか１項に記載の調理器。
【発明の詳細な説明】
【技術分野】
【０００１】
本発明は一般家庭で用いられる調理器に関するもので、特に時刻データ受信機能付きの調理器に関するものである。
【背景技術】
【０００２】
従来のこの種の調理器として、調理の開始時刻または出来上がり時刻を設定するタイマーと、前記タイマー動作の時刻判断基準となる現在時刻を計時する時計部と、電波で送られてくる電波時刻信号を受信する時刻受信部と、常時もしくは予め設定された時期に前記時計部の現在時刻を自動的に設定または修正する時刻修正手段を設けたものがある（例えば、特許文献１参照）。
【特許文献１】特開平７−１０８０２３号公報
【発明の開示】
【発明が解決しようとする課題】
【０００３】
しかしながら、上記従来の調理器では、調理中或いは調理予約中に時刻データの受信を行い、時計部の現在時刻が修正されて変化してしまった場合に、調理中のプロセスが正確に行われなかったり、制御装置（マイコン）の処理が複雑になってしまうという課題を有していた。
【０００４】
本発明は、前記従来の課題を解決するもので、電波の受信を行い正確な時計機能を備えると共に、調理中のプロセスも問題なく実行される調理器を提供することを目的とする。
【課題を解決するための手段】
【０００５】
前記従来の課題を解決するために、本発明の調理器は、食物を加熱する加熱手段と、時刻データを受信する電波受信装置と、現在時刻を計時する時計部と、前記加熱手段の制御を行うと共に前記時刻データに基づき前記時計部の現在時刻を設定する制御装置とを備え、前記食物の調理中及び、調理予約中は、前記時刻データに基づく前記時計部の現在時刻の設定を行わないようにしたもので、調理中の時刻データの受信による調理終了時間のずれを防ぐことができるので、調理プロセスを正確に動作させることができると共に、時刻データの受信のための処理が調理中に行われないので、制御装置の処理が複雑になることなく調理制御をすることができる。
【発明の効果】
【０００６】
本発明の調理器は、時刻データ受信機能を有しながらも、調理プロセスを正確に行うことができるものである。
【発明を実施するための最良の形態】
【０００７】
第１の発明は、食物を加熱する加熱手段と、時刻データを受信する電波受信装置と、現在時刻を計時する時計部と、前記加熱手段の制御を行うと共に前記時刻データに基づき前記時計部の現在時刻を設定する制御装置とを備え、前記食物の調理中及び、調理予約中は、前記時刻データに基づく前記時計部の現在時刻の設定を行わないようにしたもので、調理中の時刻データの受信による調理終了時間のずれを防ぐことができるので、調理プロセスを正確に動作させることができると共に、時刻データの受信のための処理が調理中に行われないので、制御装置の処理が複雑になることなく調理制御をすることができる。
【０００８】
第２の発明は、特に、第１の発明の少なくとも制御装置に通電された時に、時刻データに基づき時計部の現在時刻を設定するようにしたもので、電源スイッチを投入あるいは電源プラグをコンセントに差し込むだけで、現在時刻を受信できるので、調理器に現在時刻を計時するための電池が不要で、調理器を使用する時には、正確な現在時刻で調理をすることができる。
【０００９】
第３の発明は、特に、第１又は第２の発明の調理器にメニューコースの選択や調理開始時刻などを入力する入力装置を設け、前記入力装置の操作中及び／又は前記操作終了後所定時間の間は、時刻データに基づく時計部の現在時刻の設定を行わないようにしたもので、調理終了時刻を表示している内容が少しずれてしまうことを防ぐことができるとともに、時刻データの受信のための処理を入力装置の入力処理中に行わないので、制御装置の処理が複雑になることなく調理制御をすることができる。
【００１０】
第４の発明は、特に、第３の発明の電波受信装置による時刻データの受信中に入力装置の操作を行った場合には、前記電波受信装置による前記時刻データの受信を停止し、受信前の現在時刻を優先させるようにしたもので、操作中の時刻データの受信のための複雑な処理を行わないですむと共に、受信によって現在時刻が変化することによる調理終了までのでき上がり時刻の変化を抑えることができる。
【００１１】
第５の発明は、特に、第１〜４のいずれか１つの発明の電波受信装置により時刻データが受信できない時には、現在時刻を入力する時刻入力モードに移行するようにしたもので、時刻データの受信を失敗しても、使用者が操作することで、現在時刻を設定してからの調理条件の設定となり現在時刻が設定されないままの調理条件の設定を防ぐことができる。
【００１２】
第６の発明は、特に、第１〜５のいずれか１つの発明の調理器に電池を搭載して、前記電池の電源のみで制御装置が駆動している間は、時刻データに基づく時計部の現在時刻の設定を行わないようにしたもので、時刻データの受信による電力消費の無駄を抑え、電池の余分な消耗を防ぐことができる。
【００１３】
以下、本発明の実施の形態について、図面を参照しながら説明する。なお、この実施の形態によって本発明が限定されるものではない。
【００１４】
（実施の形態１）
本発明の第１の実施の形態における調理器について、自動製パン器を例にとって、図１〜３を用いて説明する。
【００１５】
図１は、同自動製パン機の概略構成を示す図で、１は、自動製パン器の本体、２は加熱手段であるヒータ３とパン焼き型４を内部に有しパンを焼成する焼成室、６は、パン焼き型４の内部に有ってパン生地を捏ね上げる練り羽根、５は、ベルトとプーリーからなる動力伝達手段５ａを介して練り羽根６を回転させるモータ、７は焼成室２内の温度を検知するサーミスタである。
【００１６】
８は、サーミスタ７の信号を受けてヒータ３やモータ５等を制御するマイクロコンピュータを搭載した制御装置であり、それぞれのメニューコースの調理シーケンスも記憶している。８ａは、現在時刻を計時する時計部である。
【００１７】
９は本体１に電源を供給する電源プラグで、１０はメニューコースの選択等を行う入力装置で、１１は選択しているメニューコースや現在時刻、調理の終了を示すでき上がり時刻等を表示する表示装置で、１２は電波受信装置でタイム・コード入りの長波標準電波を受信するもので図示しないアンテナ、受信回路等から構成されている。
【００１８】
図２は、入力装置１０と表示装置１１を示す図で、２０は液晶装置（以下ＬＣＤ２０と呼ぶ）で、図は全表示内容を表示している状態を示している。２１はＬＥＤで、調理シーケンスの動作中には点灯状態、調理シーケンスが終了した時には点滅状態、それ以外の場合には消灯状態となり自動製パン機の動作状態を示している。２２は、押しボタンスイッチで、メニュー選択のためのメニューボタン、予約調理のための予約ボタン、でき上がり時刻設定のための時および分ボタン、調理シーケンスのスタートや停止を行うためのスタート／切りボタン等が備わっている。
【００１９】
上記構成による自動製パン器の動作、作用は以下の通りである。
【００２０】
まず、電源プラグ９を図示しないコンセントに差しこんで本体１に通電すると、１２の電波受信装置が長波標準電波の受信を行い、受信データを制御装置１０に伝える。受信中は、図３（ａ）に示すように、「現在時刻」と「受信中」の文字のみを表示して、それ以外の時刻等の表示が消灯している。時刻データの受信が終了すると、図３（ｂ）に示すように、現在時刻が表示されると共に、時計部８ａが計時する現在時刻が自動的に設定される。
【００２１】
ここで、受信に失敗したときには、図３（ｃ）に示すように、現在時刻設定の文字を表示して、利用者による現在時刻のセットを促す。
【００２２】
利用者は、押しボタンスイッチ２２の時や分ボタンスイッチを押して、現在時刻のセットを行う。現在時刻が例えば、午前１１時５０分とした場合には、図３（ｂ）に示すように電波受信による現在時刻の自動セットもしくは、押しボタンスイッチ２２による時や分ボタンスイッチの操作によるセットを終えた状態となっている。
【００２３】
ここで、この自動製パン器は、午後１２時と午前０時に自動的に、電波受信によって現在時刻の自動セットを行うようになっているが、使用者が、調理を行う為に又は調理予約を行うために、押しボタンスイッチ２２を操作している場合、具体的には、押しボタンスイッチ２２を操作している間もしくは、押しボタンスイッチ２２を押されてから所定時間、例えば１５分間の間は、電波受信の現在時刻の自動セットは行わないようにしている。
【００２４】
ここで、午後１２時の電波受信により時計部８ａの現在時刻セットが行われている間は、図３（ａ）に示す表示となるが、その電波受信中に押しボタンスイッチ２２が押されると、電波受信の動作を停止して、現在時刻は、セットする前の時刻の表示に戻る。その時に、現在時刻が一度もセットされていない状態の場合には、図３（ｃ）に示す表示に切り替わり、先ず、現在時刻の手動セット状態となり、使用者は、手動で、現在時刻のセットを行うこととなる。
【００２５】
例えば、食パンコースを実際に調理実行する場合には、パン焼き型４に、ドライイーストや強力粉、バター、砂糖、スキムミルク、塩、水のセットを行い、図３（ｂ）の表示から、押しボタンスイッチ２２のメニューボタンスイッチを押した場合には、図３（ｄ）に示すように、食パンの選択とでき上がり時刻の１５時５０分が表示されている。ここで、食パンの調理時間は、４時間となっている。
【００２６】
その後、押しボタンスイッチ２２の「スタート／切り」ボタンスイッチを押すと調理がスタートする。調理がスタートすると、午後１２時になっても、電波受信による現在時刻セットは行われない。調理中に時刻データを受信し、時刻設定を行ってしまうと、例えば現在時刻が変わったときに、調理終了時間がずれてしまい、使用者が不便をしてしまうからである。さらに、調理中は、サーミスタ７からの温度入力により、ヒータ３やモータ５の制御駆動を行う必要があり、制御装置８が複雑な制御を行っているので、さらに電波受信を行おうとすると、制御装置８が非常に複雑になるが、調理中に、電波を受信して現在時刻セットを行わないようにすることで、制御装置８が複雑になるのを防ぐことが出来る。
【００２７】
尚、押しボタンスイッチ２２を押してからの、電波受信停止の時間を１５分としているが、この時間に限定しているものではない。さらに、電波受信のタイミングを午後１２時と午前０時にしているが、これらの時刻もこの時刻に限定しているものではない。
【００２８】
上記実施の形態では、電源プラグ９をコンセントに差し込んだ時に、電波受信を行うようにしたが、本体１に電源スイッチ（図示せず）が備えられたものであれば、その電源スイッチをオンした時にも同じように電波受信を行うことで、同じ効果を得ることができる。
【００２９】
さらに、上記実施の形態では、調理器として自動製パン器を例に記載したが、炊飯機器を用いても同じような効果が得ることは、いうまでもない。
【００３０】
（実施の形態２）
図４は、本発明の第２の実施の形態における自動製パン機の概略構成を示す図である。なお、上記第１の実施の形態と同一部分については、同一符号を付してその説明を省略する。
【００３１】
本実施の形態は、図４に示すように、上記第１の実施の形態における自動製パン機の制御装置８に、制御装置８の調理条件や、現在時刻を記憶する為のバックアップ用の電池３０を接続したものである。
【００３２】
電池３０のみの駆動中は、常に現在時刻を計時していて、さらに、午後１２時と午前０時に自動的に、電波受信によって現在時刻の自動セットを行うことが可能であるが、調理中に、電波受信を行わないようにすることで、無駄に電力が消費されず電池のバックアップ寿命を延ばすことができる。
【産業上の利用可能性】
【００３３】
以上のように、本発明にかかる調理器は、調理中、調理予約中に時刻データの受信を行わないようにすることで、設定されている現在時刻が変化することがなく、調理シーケンスを正確に行うことができるもので、自動製パン器に限らず炊飯機器等の各種調理器等、時刻データ受信機能付きの各種機器に適用できるものである。
【図面の簡単な説明】
【００３４】
【図１】本発明の実施の形態１における自動製パン機の概略構成を示す図
【図２】同自動製パン機の入力装置と表示装置の表示図
【図３】（ａ）〜（ｄ）同自動製パン機の電源プラグ投入時から調理開始までの入力装置と表示装置の表示図
【図４】本発明の実施の形態２における自動製パン機の概略構成を示す図
【符号の説明】
【００３５】
１  本体
２  焼成室
３  ヒータ（加熱手段）
８  制御装置
８ａ  時計部
９  電源プラグ
１０  入力装置
１１  表示装置
１２  電波受信装置
【図１】
2005329112.tif 000003
【図２】
2005329112.tif 000004
【図３】
2005329112.tif 000005
【図４】
2005329112.tif 000006